(57)【要約】【課題】召合わせ框の端面の凹部を覆うカバー部材と召合わせ面に取り付けられる煙返し部材の製造コスト低減及び取付工数の削減を図り、障子の完全閉鎖直前に抵抗を与えず、閉鎖状態において高い水密性と気密性が得られる合成樹脂製サッシを提供する。【解決手段】方形状に枠組みしてなる枠体に、見付け方向一端側に凹部を有する合成樹脂製の框材を上下の横框及び左右の縦框に共通に使用して方形状に框組みしてなる内外障子を引き違い状に納めた合成樹脂製サッシにおいて、召合わせ框に、凹部を覆うカバー部と、そのカバー部から召合わせ面側に屈曲延出された煙返し部とを一体に有し、煙返し部の見付け方向両端部付近に弾性フィンを一体に有するカバー煙返し部材を、カバー部を召合わせ框の凹部に嵌着し、煙返し部を召合わせ面にビスにより固着して取り付けた。【選択図】  図４
2008202269.tif 000002
【特許請求の範囲】
【請求項１】
上下枠と左右の縦枠とを方形状に枠組みしてなる枠体に、見付け方向一端側に凹部を有する合成樹脂製の框材を上下の横框及び左右の縦框に共通に使用して方形状に框組みしてなる内外障子を引き違い状に納めた合成樹脂製サッシにおいて、
召合わせ框に、前記凹部を覆うカバー部と、そのカバー部から召合わせ面側に屈曲延出された煙返し部とを一体に有し、前記煙返し部の先端部付近に弾性フィンを一体に有するカバー煙返し部材を、前記カバー部を前記召合わせ框の凹部に嵌着し、前記煙返し部を前記召合わせ框の召合わせ面にビスにより固着して取り付けたことを特徴とする合成樹脂製サッシ。
【請求項２】
カバー煙返し部材の煙返し部は、カバー煙返し部材の先端側に成形されたＬ字形の連係部と、その連係部とカバー部の間に形成され、ビスにより召合わせ框に固着される固定部とからなり、
前記連係部の、召合わせ框の召合わせ面と平行な辺の中間位置にその召合わせ面に向かって前記固定部から離れる方向に斜めに延出する第１弾性フィンが、前記固定部には他の召合わせ框方向に突出する第２弾性フィンが設けられ、
第１弾性フィンは、障子閉鎖時において、他のカバー煙返し部材の煙返し部の連係部の先端に当接し、第２弾性フィンは、他の召合わせ框の召合わせ面に当接することを特徴とする請求項１に記載の合成樹脂製サッシ。
【請求項３】
煙返し部の固定部は、凹部を有し、その凹部から召合わせ框の凹部を形成する室内側延出部又は室外側延出部にねじ込まれるビスにより召合わせ框に固着されることを特徴とする請求項１に記載の合成樹脂製サッシ。
【発明の詳細な説明】
【技術分野】
【０００１】
本発明は、合成樹脂製サッシ、さらに詳しくは、内外障子の召合わせ框の改良に関する。
【背景技術】
【０００２】
上下枠と左右の縦枠とを方形状に枠組みしてなる枠体に、合成樹脂製の上下框と左右の縦框とを方形状に框組みしてなる内外障子を引き違い状に納めた合成樹脂製サッシにおいては、内外障子の製造コスト低減の目的から、上下左右の全ての框に、同一断面形状を有する框材が共通に使用されることがある（例えば、特許文献１，２，３）。
【０００３】
その場合、少なくとも下框には、戸車の取付のため及び下枠のレールの嵌合のために、下方に開口する凹部を備える必要があり、上框の上枠に対する保持形態が上枠のレールを嵌合する形態である場合は、上框にも上方に開口する凹部を備える必要がある。
【０００４】
そのため、共通に使用される框材は、見付け方向一端側に凹部を有するものが一般的である。従って、框組みされた内外障子は、いずれも外周面に開口する凹部を有する。上下框の凹部は、戸車の取付及び／又はレールの嵌合のために用いられ、枠体に納められた状態で外部に露見しないので、問題がないが、左右縦框の凹部は、とくに召合わせ框の凹部は、障子閉鎖状態においても外部に露見される。通常、樹脂製障子の場合は、上下、左右の框は、長手方向両端部を４５度切断し、その切断面を突き合わせて、溶着することにより直角に接合している。また、各框の機械的強度を補強するために框内に金属製の補強材を挿入し、凹部の底面からビスをその補強材にねじ込んで框と補強材を固着する場合がある。従って、召合わせ框の凹部が外部に開口されたままであると、その凹部自体のほか、ビスなども障子の外観体裁に影響を与えるので、その凹部を覆うカバー部材が嵌着されている（特許文献１，２，３）。
【０００５】
また、召合わせ框においては、障子閉鎖状態において召合わせ部に水密性及び気密性を確保する必要があるため、召合わせ框が互いに対向する面（召合わせ面）に煙返しが備えられる。しかし、この煙返しは、戸先側の縦框には必要のないものであるので、共通に使用される框材には煙返しは設けられない。従って、従来の合成樹脂製障子の召合わせ框には、別に成形された煙返し部材をビスなどで固着している（特許文献１，２，３）。
【特許文献１】実開平７−３８５５５号公報
【特許文献２】特開２００２−２１４３１号公報
【特許文献３】特開２００６−２２５８９号公報
【発明の開示】
【発明が解決しようとする課題】
【０００６】
以上のように、従来の樹脂製サッシにおける召合わせ框には、端面の凹部を覆うカバー部材を嵌着するとともに、召合わせ面に煙返し部材が固着されている。従って、２部材の成形及び取付が必要であるため、部材の製造コスト及び取付工数の面に問題があった。
【０００７】
さらに、召合わせ框には、障子閉鎖状態において、室内外の気圧差により、互いに離間・接近する方向の力が加わり、互い違いに存在する煙返しも離間・接近する。このような召合わせ部には障子閉鎖状態で高い水密性と気密性が要求される。しかし、従来の煙返し部材には、水密材又は気密材が設けられていないか、設けられている場合でも、その取付位置や形状が良くないため、経年劣化で変形や脱落したりして高い水密性及び気密性が得られず、また、水密材又は気密材が障子の完全閉鎖直前に抵抗を与えて、クレセント錠の施錠操作を困難にするなどの不具合があった。
【０００８】
本発明は、上記の点に鑑みてなされたものであり、その解決しようとする課題は、召合わせ框の端面の凹部を覆うカバー部材と召合わせ面に取り付けられる煙返し部材の製造コストの低減及び取付工数の削減を図り、及び、障子の完全閉鎖直前に抵抗を与えず、閉鎖状態において高い水密性と気密性が得られる合成樹脂製サッシを提供することにある。
【課題を解決するための手段】
【０００９】
上記課題を解決するため、本発明は、上下枠と左右の縦枠とを方形状に枠組みしてなる枠体に、見付け方向一端側に凹部を有する合成樹脂製の框材を上下の横框及び左右の縦框に共通に使用して方形状に框組みしてなる内外障子を引き違い状に納めた合成樹脂製サッシにおいて、（ａ）召合わせ框に、前記凹部を覆うカバー部と、そのカバー部から召合わせ面側に屈曲延出された煙返し部とを一体に有し、かつ前記煙返し部の先端部付近に弾性フィンを一体に有するカバー煙返し部材を、前記カバー部を前記召合わせ框の凹部に嵌着し、前記煙返し部を前記召合わせ框の召合わせ面にビスにより固着して取り付けたことを特徴としている（請求項１）。
【００１０】
前記カバー煙返し部材の煙返し部は、カバー煙返し部材の先端側に成形されたＬ字形の連係部と、その連係部とカバー部の間に形成され、ビスにより召合わせ框に固着される固定部とからなり、弾性フィンは、連係部の、召合わせ框の召合わせ面と平行な辺の中間位置にその召合わせ面に向かって前記固定部から離れる方向に斜めに延出する第１弾性フィンと、前記固定部に設けられ、他の召合わせ框方向に突出する第２弾性フィンとであり、第１弾性フィンは、障子閉鎖時において他のカバー煙返し部材の連係部の先端に当接し、第２弾性フィンは、他の召合わせ框の召合わせ面に当接するものであることが望ましい（請求項２）。
【００１１】
煙返し部の固定部は、凹部を有し、その凹部から召合わせ框の凹部を形成する室内側延出部又は室外側延出部にねじ込まれるビスにより召合わせ框に固着されることが望ましい（請求項３）。
【発明の効果】
【００１２】
請求項１の発明によれば、カバー煙返し部材は、一つの部材で召合わせ框の凹部を覆うカバー部と、そのカバー部から召合わせ面側に屈曲延出された煙返し部とを一体に有するから、各別のカバー部材と煙返し部材を用いる場合に比し、製造コストが低減され、また、召合わせ框に対する取付工数も半減する。そして、固定部を凹部に嵌着し、煙返し部を召合わせ框の召合わせ面にビスで固着するので、取付が簡単で、しかも召合わせ框に対して強固に固定される。
【００１３】
請求項２の発明によれば、カバー煙返し部材の煙返し部は、カバー煙返し部材の先端側に成形されたＬ字形の連係部と、その連係部とカバー部の間に形成され、ビスにより召合わせ框に固着される固定部とからなり、弾性フィンは、連係部の召合わせ面と平行な辺の中間位置にその召合わせ面に向かって固定部から離れる方向に斜めに延出する第１弾性フィンを有するので、障子が完全閉鎖される直前から、両召合わせ框のカバー煙返し部材の煙返し部の連係部の先端が互いに他の召合わせ框の第１弾性フィンに当接し、完全閉鎖時には連係部の先端が第１弾性フィンに弾力的に当接する。従って、第１フィンは障子の完全閉鎖時の移動に抵抗を与えることがなく、クレセント錠の施錠操作を困難にすることがない。また、完全閉鎖時には非常に高い水密性が確保される。また、第２弾性フィンは、召合わせ部の両側、すなわち、第１弾性フィンによる水密化位置の内外において、互いに他の召合わせ框に当接するので、高い気密性が確保される。
【００１４】
さらに、請求項３の発明によれば、煙返し部の固定部はその凹部において召合わせ框の凹部を形成する壁に向けてねじ込まれるビスにより召合わせ框に固着されるので、煙返し部の召合わせ框に対する結合強度を大きくすることができ、また、召合わせ框の中空部に挿入される金属製補強部材を避けた位置にビスがねじ込まれるので、ビスを補強部材にねじ込む場合に比し、ねじ込みが簡単にできる。
【発明を実施するための最良の形態】
【００１５】
続いて、本発明の実施の形態について図面を用いながら説明する。図１は本実施の形態における合成樹脂製サッシの縦断面図、図２は同横断面図、図３は障子の完全閉鎖直前における召合わせ部の横断面図、図４は閉鎖状態における召合わせ部の横断面図である。
図１、２に示された合成樹脂製サッシは、いずれも同一断面形状を有する合成樹脂製の上枠１、下枠２及び左右の縦枠３，４を既知の技術を用いて方形状に接合し、枠組みしてなる、建物開口部に取り付けられる枠体Ｆ内に、いずれも同一断面形状を有する合成樹脂製の框材からなる上框５、下框６及び左右の縦框７，８を既知の技術を用いて方形状に接合して框組みし、その中にガラス板９を挟持してなる内外の障子Ｄ１，Ｄ２を引き違い状に納めるとともに、障子Ｄ２の室外側に既知の網戸Ｄ３を納めて構成されている。
【００１６】
枠体Ｆの上枠１、下枠２及び左右の縦枠３，４に共通に用いられる枠材は、内周面の中間の見込み方向に隔てた２位置に突条９，１０を、内周面の室内側端部に突条１１をそれぞれ有する。突条９，１０は、上枠１においては、障子Ｄ１，Ｄ２の上框に嵌合する上レールとして、下枠２においては障子の下框に嵌合する下レールとして、また、左縦枠３においては、閉鎖時の外障子Ｄ２の戸先側縦框に嵌合する振れ止めとして、右縦枠４においては、閉鎖時の内障子Ｄ１の戸先側縦框に嵌合する振れ止めとして、用いられる。
【００１７】
障子Ｄ１，Ｄ２の上框５、下框６及び左右の縦框７，８に共通に用いられる框材は、見付け方向中央に中空部１２を有し、その中空部の外周側には、見込み方向両側に形成された室内側延出部１３と室外側延出部１４とにより挟まれて、外周端面に開口する凹部１５が設けられ、中空部１２の内周側には見込み方向室外側に形成された室外側延出部１６と、見込み方向室内側に押縁１８を嵌着するための溝１７が設けられている。そして、各框の溝１７に押縁１８が嵌着されて、その押縁１８と室外側延出部１６との間に複層ガラスその他のガラス板Ｇが固定されている。
【００１８】
各框材の凹部１５は、いずれの障子Ｄ１，Ｄ２においても同様に、上框５においては上枠１のレール９、１０の下端部を嵌合するために用いられ、下框６においては戸車１９を収容して取り付けるとともに、下枠２のレール９，１０の上端部を嵌合するために用いられ、縦框の内、戸先側縦框７においては、障子閉鎖時に各縦枠７の対向面に突設されている振れ止め９又は１０を嵌合するために用いられる。これに対し、両障子閉鎖時において対面する縦框である召合わせ框８，８Ｅにおいては、凹部１５に何らの用途もない。そして、その凹部１５に何らの措置も施さない場合は、その凹部１５が召合わせ框８，８Ｅの端面においてそれらの召合わせ框８，８Ｅの全長にわたって開口するばかりでなく、上、下框５，６の凹部１５の端部まで露見する。
【００１９】
本発明においては、各召合わせ框８，８Ｅに、それぞれの凹部１５を覆うとともに、障子閉鎖時の召合わせ部に高い水密性と気密性を確保するためのカバー煙返し部材２０、２０Ｅを装着してある。カバー煙返し部材２０、２０Ｅは、いずれも合成樹脂製であって、断面ほぼＬ字形に形成され、同一又はほぼ同一の断面形状を有する。Ｌ字の１辺に相当する部位に設けられたカバー部２１と、Ｌ字のもう１辺に相当する部位に設けられた煙返し部２２を一体に有する。
【００２０】
カバー部２１は、召合わせ框８，８Ｅの凹部１５を覆うためのものであり、背面の離間された位置に框材の凹部１５の開口面付近内側に形成してあるあり溝１５ａに嵌着するための係止片２１ａが設けられている。また、煙返し部２２は、カバー部２１から召合わせ面側に屈曲延出されており、その見付け方向の両側にそれぞれ室内方向と室外方向に延出する、いずれも軟質合成樹脂製の第１弾性フィン２３ａと第２弾性フィン２３ｂが一体成形により備えられている。
【００２１】
より好ましくは、煙返し部２２はカバー煙返し部材２０，２０Ｅの先端側に設けられたＬ字形の連係部２２ａと、カバー部２１側に設けられた固定部２２ｂとからなっている。さらに、固定部２２ｂは、断面形状が連係部２２ａとは逆向きのＬ字状に形成されて、連係部２２ａとの間に凹部２２ｃを有している。そして、内障子Ｄ１のカバー煙返し部材２０は、カバー部２１の係止片２１ａを凹部１５に係止するとともに、煙返し部の固定部２２ｂをその召合わせ框８の室外面に当接し、凹部２２ｃからビス２４を召合わせ框８の室外側延出部１４にねじ込むことにより、取り付けられている。また、外障子Ｄ２のカバー煙返し部材２０Ｅは、カバー部２１の係止片２１ａを凹部１５に係止するとともに、煙返し部の固定部２２ｂをその召合わせ框８Ｅの室内面に当接し、凹部２２ｃからビス２４を召合わせ框８Ｅの室内側延出部１３にねじ込むことにより、取り付けられている。
【００２２】
第１弾性フィン２３ａは、両召合わせ框８，８Ｅのカバー煙返し部材２０，２０Ｅの互いに連係する連係部２２ａの互いに対向する面の中間位置に、互いに他の連係部の先端方向に傾斜させて設けてある。このため、障子閉鎖時は、完全閉鎖直前に連係部２２ａが互い違いに連係し始め、先ずその連係部の先端が互いに他の第１弾性フィン２３ａに当接し、両障子は連係部２２ａがその弾性フィン２３ａを変形させながら完全閉鎖位置まで移動され、完全閉鎖状態においては、図４に示すように、各連係部の先端が第１弾性フィンに当接する。このため、互い違いに連係する連係部２２ａには、室外から室内方向に、又はその逆方向に２重の第１弾性フィン２３ａにより高い水密性が確保される。これと同時に、各召合わせ框の第２弾性フィン２３ｂが他の召合わせ框に当接するため、両召合わせ框の間に高い気密性が確保される。
【００２３】
連係部２２ａの内側に弾性フィン２３ａに代えて弾性丸縁などの気密材を嵌着した場合は、障子完全閉鎖時に、連係部がその気密材に衝突したとき、比較的大きな抵抗力が作用するため、障子の完全閉鎖が妨げられ、クレセント錠ＣＲの施錠が困難になることがあるが、本実施例では、弾性フィン２３ａが柔軟性を有するので、そのような困難性が無く、円滑に完全閉鎖して水密性及び気密性を確保することができる。また、弾性フィン２３ａはカバー煙返し部材と一体に成形されているので、障子の開閉が繰り返されても弾性フィン２３ａがカバー煙返し部材から脱落することがない。
【００２４】
各図において、２５は、各框の中空部の中に挿入された金属製補強材である。そして、召合わせ框８，８Ｅにおいて、カバー煙返し材２０，２０Ｅは、各框の凹部１５を形成する室内側延出部１３又は室外側延出部１４にビス２４をねじ込んで固着されるので、ビス２４を金属製補強材２５にねじ込む場合に比し、ビスのねじ込みが容易にできる。また、カバー煙返し材２０，２０Ｅは、カバー部２１が凹部１５に嵌着され、煙返し部２２がビスにより固着されるので、召合わせ框に対する装着が容易であり、しかも、大きい取付強度が得られ、閉鎖時の室内外の気圧差が大きい場合は、互い違いに連係している連係部に力が加わり易いが、連係部に近い位置でビスにより強固に固着されるので、それらの力に十分耐えることができる。
【図面の簡単な説明】
【００２５】
【図１】本実施の形態における合成樹脂製サッシの縦断面図。
【図２】同じく横断面図。
【図３】障子の完全閉鎖直前における召合わせ部の横断面図。
【図４】閉鎖状態における召合わせ部の横断面図。
【符号の説明】
【００２６】
Ｆ        枠体
１        上枠
２        下枠
３，４    縦枠
Ｄ１，Ｄ２  障子
５        上框
６        下框
７，８    縦框
８，８Ｅ  召合わせ框
１２      中空部
１３      室内側延出部
１４      室外側延出部
１５      凹部
１８      押縁
２０，２０Ｅ  カバー煙返し部材
２１      カバー部
２１ａ    係止部
２２ａ    連係部
２２ｂ    固定部
２２ｃ    凹部
２３ａ    第１弾性フィン
２３ｂ    第２弾性フィン
２４      ビス
２５      金属製補強材
【図１】
2008202269.tif 000003
【図２】
2008202269.tif 000004
【図３】
2008202269.tif 000005
【図４】
2008202269.tif 000006